(57)【要約】【課題】サーバによる情報の集中管理の負担を軽減し、画像処理システムの運用効率を向上させることである。【解決手段】画像処理システム１００では、画像形成装置１０ａ〜１０ｃの動作設定データを、動作に不可欠な必須データと、必須データの付加情報である任意データとに分類し、必須データは画像形成装置１０ａ〜１０ｃのメモリ１７に、任意データはサーバ５０のメモリ５１に保存登録する。【選択図】          図１
2004260272.tif 000002
【特許請求の範囲】
【請求項１】
複数の画像形成装置と、前記複数の画像形成装置を管理するサーバとが通信ネットワークを介して接続されている画像処理システムにおいて、
前記画像形成装置は、
画像形成装置の動作設定データを、動作に不可欠な必須データと、当該必須データの付加情報である任意データとに分類する制御部と、
前記分類された必須データを保存するメモリと、を備え、
前記サーバは、
前記画像形成装置で登録された任意データを保存するメモリを備えることを特徴とする画像処理システム。
【請求項２】
前記任意データの保存時に前記画像形成装置が前記サーバに接続できない場合、前記画像形成装置のメモリは、当該任意データを保存することを特徴とする請求項１に記載の画像処理システム。
【請求項３】
前記画像形成装置は、電源オン時に前記サーバのメモリに保存された任意データを取得し、当該任意データと画像形成装置のメモリに保存された必須データとを用いて動作することを特徴とする請求項１に記載の画像処理システム。
【請求項４】
電源オン時に前記画像形成装置が前記サーバに接続できない場合、当該画像形成装置は、画像形成装置のメモリに保存された必須データのみを用いて動作することを特徴とする請求項３に記載の画像処理システム。
【請求項５】
複数の画像形成装置と、前記複数の画像形成装置を管理するサーバとが通信ネットワークを介して接続された画像処理システムにおけるデータ管理方法であって、
画像形成装置の動作設定データを、動作に不可欠な必須データと、必須データの付加情報である任意データとに分類する分類過程と、
前記分類された必須データを前記画像形成装置が備えるメモリに保存する第１の保存過程と、
前記分類された任意データを前記サーバが備えるメモリに保存する第２の保存過程と、
を含むことを特徴とするデータ管理方法。
【請求項６】
前記任意データの保存時に、前記画像形成装置が前記サーバに接続できない場合、前記第２の保存過程では、当該任意データを画像形成装置のメモリに保存することを特徴とする請求項５に記載のデータ管理方法。
【請求項７】
前記画像形成装置が、電源オン時に前記サーバのメモリに保存された任意データを取得し、当該任意データと画像形成装置のメモリに保存された必須データとを用いて動作する動作過程を含むことを特徴とする請求項５に記載のデータ管理方法。
【請求項８】
前記動作過程において、画像形成装置が電源オン時に前記サーバに接続できない場合、当該画像形成装置は、画像形成装置のメモリに保存された必須データのみで動作することを特徴とする請求項７に記載のデータ管理方法。
【発明の詳細な説明】
【０００１】
【発明の属する技術分野】
本発明は、サーバと、ファクシミリ装置、プリンタ、複写機又はこれらの複合機（以下、画像形成装置という。）とが通信ネットワークを介して接続された画像処理システム及び画像処理システムにおけるデータ管理方法に関する。
【０００２】
【従来の技術】
近年の通信技術の発達に伴って、サーバと複数の画像形成装置をＬＡＮ（Ｌｏｃａｌ  Ａｒｅａ  Ｎｅｔｗｏｒｋ）等の通信ネットワークを介して接続し、これら画像形成装置夫々をサーバにより管理する画像処理システムが実現されている。このような画像処理システムでは、画像形成装置夫々におけるユーザ情報、印刷条件、短縮ダイアル設定等のユーザにより設定登録された動作設定データをサーバが一括管理することにより、情報の共有化が図られている（例えば、特許文献１参照）。画像形成装置では、電源オン時にサーバのメモリから動作設定データを取得して動作していた。
【０００３】
【特許文献１】
特開２０００−１５８９８号公報
【０００４】
【発明が解決しようとする課題】
しかしながら、サーバにおいて多くの画像形成装置の情報を集中管理するのではサーバに大きな負担がかかるとともに、画像形成装置からの情報要求が重複した場合、通信負荷の増大を招いて画像処理システムにおける処理効率が低下することとなる。また、サーバのダウン時や接続エラーによりサーバに接続できない場合等には、画像形成装置はサーバのメモリから動作設定データを取得することができず、画像形成装置が動作できない事態が生ずるおそれがあった。
【０００５】
本発明の課題は、サーバによる情報の集中管理の負担を軽減し、画像処理システムの運用効率を向上させることである。
【０００６】
【課題を解決するための手段】
請求項１に記載の発明は、
複数の画像形成装置と、前記複数の画像形成装置を管理するサーバとが通信ネットワークを介して接続されている画像処理システムにおいて、
前記画像形成装置は、
画像形成装置の動作設定データを、動作に不可欠な必須データと、当該必須データの付加情報である任意データとに分類する制御部と、
前記分類された必須データを保存するメモリと、を備え、
前記サーバは、
前記画像形成装置で登録された任意データを保存するメモリを備えることを特徴としている。
【０００７】
請求項３に記載の発明は、請求項１に記載の画像処理システムにおいて、
前記画像形成装置は、電源オン時に前記サーバのメモリに保存された任意データを取得し、当該任意データと画像形成装置のメモリに保存された必須データとを用いて動作することを特徴としている。
【０００８】
請求項５に記載の発明は、
複数の画像形成装置と、前記複数の画像形成装置を管理するサーバとが通信ネットワークを介して接続された画像処理システムにおけるデータ管理方法であって、
画像形成装置の動作設定データを、動作に不可欠な必須データと、必須データの付加情報である任意データとに分類する分類過程と、
前記分類された必須データを前記画像形成装置が備えるメモリに保存する第１の保存過程と、
前記分類された任意データを前記サーバが備えるメモリに保存する第２の保存過程と、
を含むことを特徴としている。
【０００９】
請求項７に記載の発明は、請求項５に記載のデータ管理方法において、
前記画像形成装置が、電源オン時に前記サーバのメモリに保存された任意データを取得し、当該任意データと画像形成装置のメモリに保存された必須データとを用いて動作する動作過程を含むことを特徴としている。
【００１０】
請求項１、３、５、７に記載の発明によれば、画像形成装置の動作設定データのうち、必須データを画像形成装置のメモリに保存し、任意データをサーバのメモリに保存して、画像形成装置の電源オン時には任意データをサーバのメモリから取得して動作するので、画像形成装置に保存するデータ量を削減できるとともに、サーバによる情報の集中管理の負担を軽減することができる。従って、画像処理システムの運用効率を向上させることができる。
【００１１】
請求項２に記載の発明は、請求項１に記載の画像処理システムにおいて、
前記任意データの保存時に前記画像形成装置が前記サーバに接続できない場合、前記画像形成装置のメモリは、当該任意データを保存することを特徴としている。
【００１２】
請求項６に記載の発明は、請求項５に記載のデータ管理方法において、
前記任意データの保存時に、前記画像形成装置が前記サーバに接続できない場合、前記第２の保存過程では、当該任意データを画像形成装置のメモリに保存することを特徴としている。
【００１３】
請求項２、６に記載の発明によれば、画像形成装置がサーバに接続できない場合、任意データを画像形成装置のメモリに保存するので、画像形成装置の動作に支障をきたすことなく、サーバと接続可能になった際に再度任意データをサーバのメモリに保存させることができる。
【００１４】
請求項４に記載の発明は、請求項３に記載の画像処理システムにおいて、
電源オン時に前記画像形成装置が前記サーバに接続できない場合、当該画像形成装置は、画像形成装置のメモリに保存された必須データのみを用いて動作することを特徴としている。
【００１５】
請求項８に記載の発明は、請求項７に記載のデータ管理方法において、
前記動作過程において、画像形成装置が電源オン時に前記サーバに接続できない場合、当該画像形成装置は、画像形成装置のメモリに保存された必須データのみで動作することを特徴としている。
【００１６】
請求項４、８に記載の発明によれば、電源オン時に画像形成装置がサーバに接続できない場合でも、必須データのみで画像形成装置が動作することができ、画像処理システムの運用効率を向上させることができる。
【００１７】
【発明の実施の形態】
以下、図を参照して本発明の実施の形態を詳細に説明する。
本実施の形態では、画像形成装置の動作設定データを、動作に不可欠な必須データと、必須データの付加情報である任意データとに分類して登録し、必須データは画像形成装置が備えるメモリに、任意データはサーバが備えるメモリに保存する画像処理システムの例を説明する。
【００１８】
まず、構成を説明する。
図１に、本実施の形態における画像処理システム１００のシステム構成を示す。
図１に示すように、画像処理システム１００は、画像形成装置１０ａ〜１０ｃと、サーバ５０とが通信ネットワーク８０を介して接続されている。なお、図１には、３台の画像形成装置と、１台のサーバが接続された例を示したが、各装置の設置台数、設置場所は特に限定しない。
【００１９】
通信ネットワーク８０は、専用線や既存の一般公衆回線を利用して構築された通信ネットワークであり、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等の様々な回線形態の適用が可能である。
【００２０】
画像形成装置１０ａ〜１０ｃは、ファクシミリ装置、プリンタ、複写機又はこれらの複合機である。以下、画像形成装置１０ａ〜１０ｃの機能的構成について説明するが、画像形成装置１０ａ〜１０ｃ夫々の機能的構成は同一であるので、画像形成装置１０ａを代表として説明する。
【００２１】
図２に、画像形成装置１０ａの機能的構成を示す。
図２に示すように、画像形成装置１０ａは、制御部１１、入力部１２、表示部１３、印刷部１４、通信部１５、プログラムメモリ１６、メモリ１７を備えて構成される。
【００２２】
制御部１１は、ＣＰＵ（Ｃｅｎｔｒａｌ  Ｐｒｏｃｅｓｓｉｎｇ  Ｕｎｉｔ）等から構成され、プログラムメモリ１６に格納されているシステムプログラムの他、本発明に係るデータ登録処理プログラム（図７参照）、データ読み出し処理プログラム（図９参照）を図示しないワークエリアに展開し、当該プログラムとの協働により処理動作を統括的に制御する。
【００２３】
具体的には、制御部１１は、データ登録処理において、動作設定データを必須データと任意データとに分類する。
【００２４】
入力部１２は、ユーザの操作指示を入力するためのカーソルキー、数字キー、各種機能キーや、表示部１３と一体型のタッチパネル等を備えて構成され、押下されたキーに対応する押下信号を制御部１１に出力する。
【００２５】
表示部１３は、ＬＣＤ（Ｌｉｑｕｉｄ  Ｃｒｙｓｔａｌ  Ｄｉｓｐｌａｙ）等から構成され、動作設定データの登録画面１３１（図８参照）や、ＦＡＸ送信画面１３２、１３３（図１０（ａ）、（ｂ）参照）等の各種操作画面、制御部１１による処理結果等の各種表示情報を表示する。
【００２６】
印刷部１４は、スキャナ、印刷用紙を給紙する給紙部等を備えて構成され、スキャナにより読み取った画像データを制御部１１に出力するとともに、制御部１１により入力された画像データに基づいて指定された印刷用紙上に印刷を行う。
【００２７】
通信部１５は、ネットワークインターフェイスカード、モデム又はターミナルアダプタ、等から構成され、画像情報、制御情報、動作設定データ等の各種情報をサーバ５０と送受信する。
【００２８】
また、通信部１５は、ＦＡＸモデム等を備えてＦＡＸ通信機能を有し、制御部１１から入力されたデータをＦＡＸ送信用のアナログデータ（以下、ＦＡＸデータという。）に変換して、指定された電話番号の送信先に送信する。また、通信ネットワーク８０を介してＦＡＸデータを受信すると、デジタルデータに変換にして制御部１１に出力する。
【００２９】
プログラムメモリ１６は、磁気的、光学的記憶媒体又は半導体メモリ等により構成され、画像形成装置１０ａのシステムプログラムの他、データ登録処理プログラム、データ読み出し処理プログラムを格納する。
【００３０】
また、プログラムメモリ１６は、動作設定データが必須データと任意データのどちらに属するかを設定したデータ属性ファイル１６１を格納する。以下、データ属性ファイル１６１について、動作設定データとして短縮ダイアル番号を設定する短縮ダイアルデータを例に具体的に説明する。
【００３１】
短縮ダイアルデータには、短縮番号である“短縮Ｎｏ．”、ダイアル先の電話番号である“ダイアルＮｏ．”、ダイアル先の“名前”、ダイアル先を検索する際の“検索文字”、そのダイアル先にダイアルする場合に適用する原稿の設定を行う“原稿設定”、適用する通信モードを設定する“応用通信モード設定”等の各設定項目が含まれる。
図３に示すように、データ属性ファイル１６１には、動作設定データ（例えば、“短縮Ｎｏ．”）と、その動作設定データが必須データであるか任意データであるかを示すデータ属性（例えば、“必須”）とが対応付けて記憶されている。
【００３２】
メモリ１７は、ＲＯＭ（Ｒｅａｄ  Ｏｎｌｙ  Ｍｅｍｏｒｙ）等の不揮発性のメモリからなる不揮発メモリ１７１と、ＲＡＭ（Ｒａｎｄｏｍ  Ａｃｃｅｓｓ  Ｍｅｍｏｒｙ）等の揮発性のメモリからなる揮発メモリ１７２とから構成される。
【００３３】
不揮発メモリ１７１は、動作設定データにおける必須データを保存するメモリであり、揮発メモリ１７２は、動作設定データにおける任意データを保存するメモリである。上述した短縮ダイアルデータを例に説明すると、不揮発メモリ１７１は、図４に示すように、短縮ダイアルデータのうち必須データに属する“短縮Ｎｏ．”、“ダイアルＮｏ．”の動作設定データを保存する。また、揮発メモリ１７２は、図５に示すように、短縮ダイアルデータのうち任意データに属する“名前”、“検索文字”、“原稿設定”、“応用通信モード設定”の動作設定データを保存する。
【００３４】
次に、サーバ５０について説明する。
サーバ５０は、通信ネットワーク８０を介して接続した画像形成装置１０ａ〜１０ｃ夫々を管理する端末装置である。サーバ５０は、内部に不揮発性のメモリ５１を備え、当該メモリ５１に、画像形成装置１０ａ〜１０ｃ夫々において設定登録された動作設定データの任意データを保存する。上述した短縮ダイアル設定データを例に説明すると、メモリ５１は、図６に示すように、画像形成装置の識別番号である“画像形成装置Ｎｏ．”毎に、“名前”、“検索文字”、“原稿設定”、“応用通信モード設定”の各任意データを保存する。
【００３５】
サーバ５０は、画像形成装置１０ａ〜１０ｃから任意データの要求情報を受信すると、要求元の画像形成装置に応じた任意データをメモリ５１から読み出して画像形成装置に送信する。
【００３６】
次に、本実施の形態における動作を説明する。
以下、画像形成装置１０ａを代表としてその動作を説明するが、他の画像形成装置１０ｂ、１０ｃにおいても同様の動作がなされる。
【００３７】
図７は、画像形成装置１０ａにより実行されるデータ登録処理を説明するフローチャートである。このデータ登録処理は、動作設定データを必須データと任意データとに分類し、必須データは画像形成装置１０ａの不揮発メモリ１７１に、任意データはサーバ５０のメモリ５１に保存登録する処理である。
【００３８】
図７に示すデータ登録処理では、まずステップＳ１において、入力部１２を介してユーザから動作設定データを登録する指示が入力されたか否かが判別される。動作設定データを登録する指示が入力された場合（ステップＳ１；Ｙ）、動作設定データを設定登録するための登録画面１３１（図８参照）が表示部１３に表示され、ユーザからデータが設定され登録が指示されると、制御部１１により動作設定データの登録が行われる（ステップＳ２）。
【００３９】
本実施の形態では、動作設定データとして短縮ダイアルデータを設定登録する例を説明する。図８に示すように、登録画面１３１では、“短縮Ｎｏ．”、“ダイアルＮｏ．”、“名前”、“検索文字”、“原稿設定”、“応用通信モード設定”の各設定項目がその項目データの入力領域とともに表示されている。
【００４０】
ユーザは、この登録画面１３１において、登録する設定項目に項目データを入力する。このとき、必須データに設定されている“短縮Ｎｏ．”、“ダイアルＮｏ．”の設定項目に項目データが入力されない場合は、入力エラーメッセージが表示部１３に表示されることとする。
【００４１】
ユーザによる項目データの入力が終了し、登録画面１３１において登録が指示されると、ステップＳ３において、通信部１５によりサーバ５０のメモリ５１に動作設定データの登録を要求する要求情報が送信される。そして、サーバ５０からの応答情報の有無により、サーバ５０が検出されたか否かが判別される。
【００４２】
サーバ５０と接続できず、サーバ５０が検出されなかったと判別された場合（ステップＳ３；Ｎ）、登録画面１３１で登録された動作設定データは、データ属性ファイル１６１に基づいて、制御部１１により必須データと任意データとに分類される。そして、必須データは不揮発メモリ１７１に保存され、任意データは揮発メモリ１７２に保存されて（ステップＳ４）、本処理を終了する。なお、揮発メモリ１７２に保存された任意データは、サーバ５０と接続可能となった際に再度、サーバ５０のメモリ５１に保存させることができるようになっている。もし、サーバ５０のメモリ５１に保存される前に画像形成装置１０ａが電源オフされた場合は、表示部１３に表示される動作設定データを設定登録するための登録画面１３１から任意データのみを編集して登録すればよいようになっている。
【００４３】
一方、動作設定データ登録の要求情報に応じてサーバ５０から登録許可の応答情報が送信され、サーバ５０が検出されたと判別された場合（ステップＳ３；Ｙ）、登録画面１３１で登録された動作設定データは、データ属性ファイル１６１に基づいて制御部１１により必須データと任意データとに分類された後、任意データが通信部１５を介してサーバ５０に送信される。サーバ５０では、画像形成装置１０ａから送信された任意データが、その画像形成装置１０ａに応じた“画像形成装置Ｎｏ．”と対応付けてメモリ５１に保存される（ステップＳ５）。
【００４４】
次いで、ステップＳ６では、動作設定データから分類された必須データが不揮発メモリ１７１に保存され、本処理を終了する。なお、ステップＳ６で任意データが揮発メモリ１７２に保存されるようにしてもよい。その場合には、データ登録直後から任意データも利用可能となる。
【００４５】
次に、図９を参照して、画像形成装置１０ａの電源オン時に実行されるデータ読み出し処理を説明する。データ読み出し処理は、サーバ５０のメモリ５１に保存されている任意データをサーバ５０に要求し、サーバ５０のメモリ５１から任意データを取得できた場合は取得した任意データとメモリ１７に保存されている必須データとを用いて動作し、サーバ５０のメモリ５１から任意データを取得できなかった場合はメモリ１７に保存されている必須データのみで動作する処理である。
【００４６】
図９に示すデータ読み出し処理では、まずステップＳ１０１において、通信部１５によりサーバ５０にデータ読み出しの要求情報が送信される。そして、サーバ５０からの応答情報の有無により、サーバ５０が検出されたか否かが判別される。サーバ５０に接続できず、サーバ５０が検出されなかったと判別された場合（ステップＳ１０１；Ｎ）、ステップＳ１０４に移行する。
【００４７】
一方、データ読み出しの要求情報に応じて、サーバ５０から読み出し許可の応答情報が送信され、サーバ５０が検出されたと判別された場合（ステップＳ１０１；Ｙ）、サーバ５０のメモリ５１から通信部１５を介して任意データが取得され（ステップＳ１０２）、取得された任意データは揮発メモリ１７２に保存される（ステップＳ１０３）。
【００４８】
次いで、ステップＳ１０４では、例えば短縮ダイアルの読み出し指示が入力された等、ユーザから入力部１２を介して動作設定データの読み出し指示が入力された否かが判別される。動作設定データの読み出し指示が入力された場合（ステップＳ１０４；Ｙ）、読み出し指示された動作設定データの任意データは、揮発メモリ１７２に有るか否かが判別される（ステップＳ１０５）。
【００４９】
任意データが揮発メモリ１７２に有る場合（ステップＳ１０５；Ｙ）、読み出し指示された動作設定データの必須データが不揮発メモリ１７１から読み出されるとともに、任意データが揮発メモリ１７２から読み出され（ステップＳ１０６）、当該必須データ及び任意データを用いて動作が開始される（ステップＳ１０８）。
【００５０】
一方、任意データが揮発メモリ１７２に無い場合（ステップＳ１０５；Ｎ）、読み出し指示された動作設定データの必須データが不揮発メモリ１７１から読み出され（ステップＳ１０７）、当該必須データのみを用いて動作が開始される（ステップＳ１０８）。
【００５１】
例えば、短縮ダイアルデータの必須データ及び任意データを用いて動作した場合、図１０（ａ）に示すような短縮ダイアルによるＦＡＸ送信画面１３２が表示部１３に表示され、短縮ダイアルデータの必須データのみを用いて動作した場合、図１０（ｂ）に示すような短縮ダイアルによるＦＡＸ送信画面１３３が表示される。ＦＡＸ送信画面１３２では、ダイアルＮｏ．に替えてダイアル先の名前が表示され、ユーザが操作しやすい表示になっている一方、ＦＡＸ送信画面１３３では、ＦＡＸ送信操作に必要最低限の表示となっている。
【００５２】
以上のように、画像形成装置１０ａ〜１０ｃ夫々において登録される動作設定データを必須データと任意データとに分け、必須データは画像形成装置１０ａ〜１０ｃ夫々のメモリ１７に、任意データはサーバ５０のメモリ５１に保存するので、画像形成装置１０ａ〜１０ｃで保存するデータ量を削減できるとともに、サーバ５０による情報の集中管理の負担を軽減することができる。
【００５３】
また、画像形成装置１０ａ〜１０ｃは、電源オン時にサーバ５０に接続できず、サーバ５０のメモリ５１から任意データを取得できなかった場合でも、必須データのみで動作するので、サーバ５０がダウン時やサーバ５０に接続できない場合でも画像形成装置１０ａ〜１０ｃを使用することができ、画像処理システム１００の運用効率を向上させることができる。
【００５４】
また、画像形成装置１０ａ〜１０ｃは、サーバ５０に接続できず、任意データをサーバ５０のメモリ５１に保存できなかった場合は、画像形成装置のメモリ１７に任意データを保存するので、画像形成装置の動作に支障をきたすことなく、サーバ５０と接続可能になった際に、再度任意データを送信する等の対応をとることが可能となる。
【００５５】
なお、本実施の形態における記述内容は、本発明を適用した画像処理システム１００の好適な一例であり、これに限定されるものではない。
【００５６】
例えば、上述した説明では、サーバ５０のメモリ５１には画像形成装置毎に任意データを保存する構成とし、任意データを要求した画像形成装置に応じた任意データが読み出されることとしたが、画像形成装置１０ａ〜１０ｃ夫々で登録した任意データを画像処理システム１００で共通の任意データとしてメモリ５１に保存し、任意データの共有化を図ることとしてもよい。これにより、画像形成装置１０ａ〜１０ｃ夫々において共通する任意データを共有することができ、画像形成装置毎に行われる重複した動作設定データの登録作業を省略することができる。
【００５７】
その他、本実施の形態における画像処理システム１００の細部構成及び細部動作に関しても、本発明の趣旨を逸脱することのない範囲で適宜変更可能である。
【００５８】
【発明の効果】
請求項１、３、５、７に記載の発明によれば、画像形成装置の動作設定データのうち、必須データを画像形成装置のメモリに保存し、任意データをサーバのメモリに保存して、画像形成装置の電源オン時には任意データをサーバのメモリ５１から取得して動作するので、画像形成装置に保存するデータ量を削減できるとともに、サーバによる情報の集中管理の負担を軽減することができる。従って、画像処理システムの運用効率を向上させることができる。
【００５９】
請求項２、６に記載の発明によれば、画像形成装置がサーバに接続できない場合、任意データを画像形成装置のメモリに保存するので、画像形成装置の動作に支障をきたすことなく、サーバと接続可能になった際に再度任意データをサーバのメモリに保存させることができる。
【００６０】
請求項４、８に記載の発明によれば、電源オン時に画像形成装置がサーバに接続できない場合でも、必須データのみで画像形成装置が動作することができ、画像処理システムの運用効率を向上させることができる。
【図面の簡単な説明】
【図１】本発明を適用した実施の形態の画像処理システムのシステム構成を示す図である。
【図２】図１の画像形成装置の機能的構成を示す図である。
【図３】図２の不揮発メモリに保存されるデータ例を示す図である。
【図４】図２の揮発メモリに保存されるデータ例を示す図である。
【図５】図２のデータ属性ファイルのデータ構成例を示す図である。
【図６】図１のサーバが備えるメモリに保存されるデータ例を示す図である。
【図７】画像形成装置により実行されるデータ登録処理を説明するフローチャートである。
【図８】動作設定データを設定登録するための登録画面を示す図である。
【図９】画像形成装置により実行されるデータ読み出し処理を説明するフローチャートである。
【図１０】（ａ）は、必須データ及び任意データを用いて動作した場合のＦＡＸ送信画面を示す図であり、（ｂ）は、必須データのみを用いて動作した場合のＦＡＸ送信画面を示す図である。
【符号の説明】
１０ａ〜１０ｃ    画像形成装置
１１    制御部
１２    入力部
１３    表示部
１４    印刷部
１５    通信部
１６    プログラムメモリ
１６１    データ属性ファイル
１７    メモリ
１７１    不揮発メモリ
１７２    揮発メモリ
５０    サーバ
５１    メモリ
８０    通信ネットワーク
１００    画像処理システム
【図１】
2004260272.tif 000003
【図２】
2004260272.tif 000004
【図３】
2004260272.tif 000005
【図４】
2004260272.tif 000006
【図５】
2004260272.tif 000007
【図６】
2004260272.tif 000008
【図７】
2004260272.tif 000009
【図８】
2004260272.tif 000010
【図９】
2004260272.tif 000011
【図１０】
2004260272.tif 000012